(57)【特許請求の範囲】
【請求項１】
直流電源回路の一端と他端との間にトランスの一次巻線を介して接続されたスイッチング素子と、前記1次巻線に電磁結合された2次巻線および3次巻線と、TV回路に電力を供給する為に前記2次巻線の一端に直列に接続されたスイッチ回路と前記スイッチ回路の他端と直列に接続された第1の整流平滑回路と、前記TV回路とは異なる追加の回路に電力を供給する為に前記3次巻線に接続された第2の整流平滑回路と、前記第1の整流平滑回路から得られる第1の出力電圧の検知と第1の基準電圧との差に対応する信号を得る為の第1の出力電圧検出および誤差増幅回路と、前記第2の整流平滑回路から得られる第2の出力電圧の検出値と第2の基準電圧との差に対応する信号を得る為の第2の出力電圧検出および誤差増幅回路と、前記第1および第2の整流平滑回路から前記TV回路及び前記追加回路の各々に電力を供給しているときには、前記スイッチ回路を導通することによって前記第1の出力電圧検出回路および誤差増幅回路を動作させ、前記第1の整流平滑回路から前記TV回路に電力を供給しないが、前記第2の整流平滑回路から前記追加回路に電力を供給しているときには、前記第2の出力電圧検出及び誤差増幅回路を動作させるように、前記スイッチ回路と前記第1および第2の出力電圧検出及び誤差増幅回路を択一的に動作させる為の切替回路と、前記第1または、第2の出力電圧検出および誤差増幅回路の出力に応答して共通の発光素子と前記発光素子に光結合された受光素子とを有し、前記受光素子の抵抗値の変化に基づいて前記第1または第2の出力電圧を定電圧化するように前記スイッチング素子を制御する制御回路と、前記切替回路で前記第2の出力電圧検出および誤差増幅回路での動作から、第1の出力電圧検出および誤差増幅回路での動作に切替える直前に前記第2の出力電圧検出及び誤差増幅回路の出力信号を制御することによって一時的に前記第2の整流平滑回路から得られる第2の出力電圧を上昇させる回路からなるテレビジョン受信機電源回路。
【請求項２】
前記請求項１記載のテレビジョン受信機電源回路にあって、前記第2の出力電圧が前記切替回路で前記第2の出力電圧検出および誤差増幅回路での動作から、第1の出力電圧検出および誤差増幅回路での動作に切替える直前に前記第2の出力電圧検出及び誤差増幅回路の出力信号を制御することによって一時的に前記第2の整流平滑回路から得られる第2の出力電圧を上昇させる回路によって第2の出力電圧が上昇したことを検出する回路を備え、前記第2の出力電圧が前記切替回路で前記第2の出力電圧検出および誤差増幅回路での動作から、第1の出力電圧検出および誤差増幅回路での動作に切替えた後、第2の出力電圧が上昇したことを検出する回路で検出され且つ前記第1の出力電圧検出回路にて前記第1の出力電圧が検出されない場合、直流電源をオフする機能を備えたテレビジョン受信機電源回路。
【請求項３】
直流電源回路の一端と他端との間にトランスの一次巻線を介して接続されたスイッチング素子と、前記1次巻線に電磁結合された2次巻線および3次巻線と、TV回路に電力を供給する為に前記2次巻線の一端に直列に接続されたスイッチ回路と前記スイッチ回路の他端と直列に接続された第1の整流平滑回路と、前記TV回路とは異なる追加の回路に電力を供給する為に前記3次巻線に接続された第2の整流平滑回路と、前記第1の整流平滑回路から得られる第1の出力電圧の検知と第1の基準電圧との差に対応する信号を得る為の第1の出力電圧検出および誤差増幅回路と、前記第2の整流平滑回路から得られる第2の出力電圧の検出値と第2の基準電圧との差に対応する信号を得る為の第2の出力電圧検出および誤差増幅回路と、前記第1および第2の整流平滑回路から前記TV回路及び前記追加回路の各々に電力を供給しているときには、前記スイッチ回路を導通することによって前記第1の出力電圧検出回路および誤差増幅回路を動作させ、前記第1の整流平滑回路から前記TV回路に電力を供給しないが、前記第2の整流平滑回路から前記追加回路に電力を供給しているときには、前記第2の出力電圧検出及び誤差増幅回路を動作させるように、前記スイッチ回路と前記第1および第2の出力電圧検出及び誤差増幅回路を択一的に動作させる為の切替回路と、前記第1または、第2の出力電圧検出および誤差増幅回路の出力に応答して共通の発光素子と前記発光素子に光結合された受光素子とを有し、前記受光素子の抵抗値の変化に基づいて前記第1または、第2の出力電圧検出および誤差増幅回路の出力に応答して前記第1または第2の出力電圧を定電圧化するように前記スイッチング素子を制御する制御回路と、前記切替回路で前記第2の出力電圧検出および誤差増幅回路での動作から第1の出力電圧検出および誤差増幅回路での動作に切替える直前に前記第2の出力から第1の整流平滑回路の平滑コンデンサーに第2の出力をバイパスする回路からなるテレビジョン受信機電源回路。
【発明の詳細な説明】
【０００１】
【発明の属する技術分野】
本発明は、主電源と副電源とを有するテレビジョン受信機（以下、単にテレビという）の電源回路に関するものである。
【０００２】
【従来の技術】
従来、衛星放送（以下 BS）や文字多重機能（以下文多）を備えたテレビジョン受信機の電源回路は、TV用電源回路の主電源とBSチューナやU/Vチューナ、文多回路、マイコン回路、リモコン受信回路といった追加回路用の電源、副電源を備えている。図５に従来の副電源を有するテレビジョン受信機の電源回路を示す。図４において、交流電源端子１には、電源スイッチ2を介して直流電源に変換する為の整流回路3が接続されている。整流回路3の一対の直流出力端子４，５間には、トランス6の1次巻線7を介してスイッチング素子としてのトランジスタ8が接続されている。
【０００３】
トランス6は、1次巻線7に電磁結合された2次巻線9、3次巻線10、および4次巻線11を有する。4次巻線11は、正帰還によって、トランジスタ8を自励でオン・オフする為の駆動巻線であり、抵抗12とコンデンサー１３との並列回路を介して、トランジスタ8のベース・エミッタとの間に接続されている。整流回路3の直流出力4とトランジスタ8のベースとの間には起動抵抗14が接続されている。トランジスタ8のベース・エミッタ間に接続されたフォトトランジスタ16はトランジスタ8のベース電流をバイパスさせて出力電圧を定電圧制御する為の定電圧制御素子である。
2次巻線9には、第1の整流ダイオード１７と第1の平滑用コンデンサ１８とから成る第1の整流平滑回路19が接続されている。なお、第1の整流ダイオード17の入力ラインにスイッチ20が接続されている。第1の整流平滑回路19の出力ライン21には、主負荷としてＴＶ回路22が接続されている。
3次巻線10には、第2の整流ダイオード２３と第2の平滑用コンデンサ24とから成る第2の整流平滑回路25が接続されている。この整流平滑回路２５の出力ライン２６にはＢＳチューナ２７やＵ／Ｖチューナ２８、およびマイコン回路５０リモコン受信回路２９の追加回路（副負荷）が接続されている。
追加回路（副負荷）にだけ電力を供給する場合、出力ライン２６の電圧を検出して、定電圧制御するために、第2の出力ライン２６に第2の出力電圧検出および誤差増幅回路３９は、電圧検出用抵抗４１と誤差増幅用トランジスタ４２と第2の基準電圧源としてツェナーダイオード４３とから成る。抵抗41は、第2の出力ライン２６とトランジスタ４２のベース間に接続されている。
【０００４】
ツェナーダイオード４３は、トランジスタ42のコレクタと発光ダイオード37のカソード間に接続されており、アノードがトランジスタ42のコレクタに、カソードが発光ダイオード37のカソードに接続されている。。発光ダイオード３７のアノードは、抵抗36を介して、第2の出力ライン26に接続されており、発光ダイオード３７は、第1および第2の出力電圧検出および誤差増幅回路30，39で共用されている。切替回路４０は、トランジスタ45から成る。トランジスタ45のコレクタは、第2の誤差増幅トランジスタ４２のベースに接続され、エミッタはグランドに接続されている。
主負荷のＴＶ回路２２に電力を供給する場合、リモコン受信回路２９にて受信したリモコン信号からマイコン５０は、TV回路ON/OFF４６を出力切替回路４０のトランジスタ４５のベースに高レベル出力を与える。出力切替回路４０のトランジスタ４５がオンになると、第2の誤差増幅トランジスタ４２は、オフされ、同時にスイッチ２０がオンされる。
【０００５】
スイッチ２０がオンされたことにより、第1の整流平滑回路１９から出力ライン21の電圧が上昇する。出力ライン２１の電圧を検出して、定電圧制御する為に、第1の出力ライン21とグランド間に出力電圧検出及び誤差増幅回路30が接続されている。この回路30は、出力ライン21とグランド間に接続された抵抗31,32と誤差増幅用トランジスタ33と基準電圧源としてツェナーダイオード３４と抵抗35とから成る。
【０００６】
トランジスタ33のベースは2つの抵抗31,32の分圧点に接続され、ツェナーダイオード３４はトランジスタ33のエミッタに接続され、抵抗35は出力ライン21とツェナーダイオード34のカソードとの間に接続されている。この結果、出力ライン21の電圧とツェナーダイオード34で与えられる基準電圧との差に対応したコレクタ電流が流れる。この時、第３の出力電圧検出および誤差増幅回路３９は、誤差増幅用トランジスタ４２がオフしている為動作しない。
出力ライン２１とトランジスタ33のコレクタとの間に抵抗36を介して接続された発光ダイオード37は、トランジスタ33のコレクタ電流に対応して発光し、光結合されたフォトトランジスタ16に光入力を与える。
次にスイッチング素子としてのトランジスタ８の動作とトランス６を介したエネルギーの伝達動作について簡単に説明する。電源スイッチ2をオンすると、起動抵抗14を介してトランジスタ8にベース電流が流れ、これがオンに成る。トランジスタ8がオンになると、4次巻線１１に正帰還電圧が発生し、トランジスタ8のオンが維持される。トランス6の1次巻線7はインダクタンスを有するので、トランジスタ8のコレクタ電流は時間とともに増大する。
しかし、トランジスタ8のコレクタ電流の最大値は、ベース電流と電流増幅率とで決定され、無限大に増大することは出来ない。コレクタ電流がベース電流と電流増幅率の積に達するとトランジスタ8が不飽和状態に転換し、4次巻線11の正帰還電圧が低下し、結局トランジスタ8はオフ状態に転換する。第1および第2の整流ダイオード17,23はトランジスタ8のオン期間中にオフ、オフ期間中にオンになる。
トランジスタ8はオフになるとトランス6のインダクタンスに蓄積されたエネルギーに基づいて、フライバック電圧が発生し、追加回路（副負荷）にだけ電力を供給するようにスイッチ２０がオフしている場合は、前記発生したフライバック電圧によって、第2の平滑用コンデンサ24だけが充電され同時に、主負荷としてのTV回路にも電力を供給するようにスイッチ２０がオンしている場合は、第1、第2の平滑用コンデンサ１８、２４が充電される。
【０００７】
【発明が解決しようとする課題】
しかしながら、副電源すなわち、第2の整流平滑回路25の出力ライン26に接続されたＢＳチューナ２７、Ｕ／Ｖチューナ２８等の追加回路を動作させた状態で、主電源すなわち第1の整流平滑回路１９の出力ライン21に接続された追加回路よりも大きい負荷であるＴＶ回路２２に電力を供給しようとマイコン50からスイッチ２０および切替回路４０をオンした場合、図６に示すように出力ライン26の電圧に大きな電圧降下が発生し、設定した第２の出力ライン２６、副電源で動作していたＢＳチューナ２７、Ｕ／Ｖチューナ２８等の追加回路の動作に支障をきたすという課題を有していた。
【０００８】
【課題を解決する為の手段】
上記課題を解決する為に、本発明のテレビジョン受信機電源回路は、直流電源回路の一端と他端との間にトランスの一次巻線を介して接続されたスイッチング素子と、前記1次巻線に電磁結合された2次巻線および3次巻線と、TV回路に電力を供給する為に前記2次巻線の一端に直列に接続されたスイッチ回路と前記スイッチ回路の他端と直列に接続された第1の整流平滑回路と、前記TV回路とは異なる追加の回路に電力を供給する為に前記3次巻線に接続された第2の整流平滑回路と、前記第1の整流平滑回路から得られる第1の出力電圧の検知と第1の基準電圧との差に対応する信号を得る為の第1の出力電圧検出および誤差増幅回路と、前記第2の整流平滑回路から得られる第2の出力電圧の検出値と第2の基準電圧との差に対応する信号を得る為の第2の出力電圧検出および誤差増幅回路と、前記第1および第2の整流平滑回路から前記TV回路及び前記追加回路の各々に電力を供給しているときには、前記スイッチ回路を導通することによって前記第1の出力電圧検出回路および誤差増幅回路を動作させ、前記第1の整流平滑回路から前記TV回路に電力を供給しないが、前記第2の整流平滑回路から前記追加回路に電力を供給しているときには、前記第2の出力電圧検出及び誤差増幅回路を動作させるように、前記スイッチ回路と前記第1および第2の出力電圧検出及び誤差増幅回路を択一的に動作させる為の切替回路と、前記第1または、第2の出力電圧検出および誤差増幅回路の出力に応答して共通の発光素子と前記発光素子に光結合された受光素子とを有し、前記受光素子の抵抗値の変化に基づいて前記第1または第2の出力電圧を定電圧化するように前記スイッチング素子を制御する制御回路と、前記切替回路で前記第2の出力電圧検出および誤差増幅回路での動作から、第1の出力電圧検出および誤差増幅回路での動作に切替える直前に前記第2の出力電圧検出及び誤差増幅回路の出力信号を制御することによって一時的に前記第2の整流平滑回路から得られる第2の出力電圧を上昇させる回路構成を有する。
【０００９】
【発明の実施の形態】
本発明の第１の発明は、副電源すなわち、第2の整流平滑回路25の出力ライン26に接続されたＢＳチューナ２７Ｕ／Ｖチューナ２８等の追加回路を動作させた状態で、主電源すなわち第1の整流平滑回路１９の出力ライン21に接続された追加回路よりも大きい負荷であるＴＶ回路２２に電力を供給しようとマイコン50からスイッチ２０および切替回路４０をオンした場合に発生する出力ライン26の電圧降下を見越して直前に出力ライン２６の電圧を電圧降下分上昇させようという作用を有する。
さらに、第２の発明は、上記第2の発明にあって、出力ライン２１が上昇しているのに出力ライン２６が上昇してこない場合、直流電源をオフすることによって本電源回路を停止させるという作用を有する。
さらに、第３の発明は、副電源すなわち、第2の整流平滑回路25の出力ライン26に接続されたＢＳチューナ２７Ｕ／Ｖチューナ２８等の追加回路を動作させた状態で、主電源すなわち第1の整流平滑回路１９の出力ライン21に接続された追加回路よりも大きい負荷であるＴＶ回路２２に電力を供給しようとマイコン50からスイッチ２０および切替回路４０をオンした場合に発生する電圧降下の程度を小さくする為に、事前に出力ライン２１に出力ライン２６の電力を供給するという作用を有する。
以下本発明の実施の形態について、図１、図２、図3、図４を用いて説明する。図１、図２、図3、図４において、図５、図６に示した従来例と共通の部分には、同一の符号を付し、詳細な説明を省略する。
（実施の形態１）
図１は、本発明の1実施例による構成を示す。ただし、図１において符号１〜５０で示すものは図５で示したものと同一であるので、これらの説明を省略する。図1において、図５と異なる点は、切替回路４０で第2の出力電圧検出および誤差増幅回路３９での動作から、第1の出力電圧検出および誤差増幅回路３０での動作に切替える直前に第2の出力電圧検出及び誤差増幅回路３９に流れ込む電流を制限する抵抗５１と第2の出力電圧検出および誤差増幅回路３９での動作時、抵抗５１をショートしておくためのスイッチ５２を設けたことである。
図２に前記信号・電圧のタイミングチャートを示す。図1に示す出力ライン２６にＢＳチューナ２７やＵ／Ｖチューナ２８、およびマイコン回路５０リモコン受信回路２９の追加回路（副負荷）に電力が供給されている場合は、抵抗５１を短絡するようにスイッチ５２は導通しており、マイコン５０から切替回路４０を動作させるためにTV回路ON/OFF４６の高レベル出力を発生する直前に、マイコン５０からは、スイッチ５２を開放する為の信号、スイッチ５２制御信号５５の高レベルが送られ、スイッチ５２は開放される。
これによって出力ライン２６の電圧を検出して、定電圧制御するための第2の出力電圧検出および誤差増幅回路３９に対して、抵抗51は第2の基準電圧源としてのツェナーダイオード４３と直列に接続され、発光ダイオード37に流す電流を制限する。よって光結合されたフォトトランジスタ１６によるトランジスタ８のベース電流に対する負帰還量が小さくなり、結果的には、トランス６の１次巻線７に蓄えられるエネルギーが大きくなる。１次巻線７に蓄えられたエネルギーは、３次巻線１０から放出され、第２の出力ライン２６の電圧は上昇する。
その後、マイコン５０から、切替回路４０のトランジスタ４５をオンされることによって、第2の誤差増幅トランジスタ４２は、オフされる。と同時に、スイッチ２０は導通されることによって、トランス６の２時巻線９からも第１の整流平滑回路１９を介して、出力ライン２１の電圧が上昇する。第１の出力電圧検出及び誤差増幅回路３０が動作し、第１の出力ライン２１の電圧が、一定に制御されるようにフォトトランジスタ１６が制御される。なお、重負荷側の第１の出力ライン２１の電圧が一定に制御されれば、軽負荷側の第２の出力ライン２６の電圧もほぼ一定になる。このときには、第２の誤差増幅トランジスタ４２が、オフされているため、第２の出力ライン２６が、上昇することはない。
また、マイコン５０から、TV回路ON/OFF４６  高レベルの信号が切替回路４０のトランジスタ４５に与えられた後、第１の出力ライン２１の抵抗３１，３２の交点からの信号５３をマイコン５０で検出し、一定時間後検出されない場合、マイコン５０から、スイッチ２をオフする。
上述のごとく本実施例に拠れば、第２の出力ラインから第１の出力ラインに制御が切り替わるときにも、出力ライン26の電圧に大きな電圧降下が発生することなく、副電源で動作していたＢＳチューナ２７、Ｕ／Ｖチューナ２８等の追加回路の動作に支障をきたすという課題も解決される。
（実施の形態２）
図３は、本発明の1実施例による構成を示す。ただし、図３において符号１〜５０で示すものは図５で示したものと同一であるので、これらの説明を省略する。図３において、図５と異なる点は、切替回路４０によって、第2の出力電圧検出および誤差増幅回路３９での動作状態から、第1の出力電圧検出および誤差増幅回路３０での動作に切替える直前に第2の出力ライン２６から、スイッチ５６を介して、逆流防止用ダイオード５５のカソードを第１の出力ライン２１に接続する回路を設けたことである。
図４に前記信号・電圧のタイミングチャートを示す。図３に示す出力ライン２６にＢＳチューナ２７やＵ／Ｖチューナ２８、およびマイコン回路５０リモコン受信回路２９の追加回路（副負荷）に電力が供給されている場合は、スイッチ５６は開放しており、マイコン５０から切替回路４０を動作させるためにTV回路ON/OFF４６の高レベル出力を発生する直前に、マイコン５０からは、スイッチ５６をショートする為の信号、スイッチ５６制御信号５７の高レベルが送られ、スイッチ５７はショートされる。
これによって出力ライン２６の電力は、スイッチ５６、ダイオード５５を介して、第１の整流平滑回路１９の平滑コンデンサー１８を第２の出力ライン２６の電圧まで、充電する。その後、マイコン５０から、切替回路４０のトランジスタ４５をオンされることによって、第2の誤差増幅トランジスタ４２は、オフされる。と同時に、スイッチ２０は導通されることによって、トランス６の２時巻線９からも第１の整流平滑回路１９を介して、出力ライン２１の電圧が上昇する。第１の出力電圧検出及び誤差増幅回路３０が動作し、第１の出力ライン２１の電圧が、一定に制御されるようにフォトトランジスタ１６が制御される。
なお、重負荷側の第１の出力ライン２１の電圧が一定に制御されれば、軽負荷側の第２の出力ライン２６の電圧もほぼ一定になる。このときには、第２の誤差増幅トランジスタ４２が、オフされているため、第２の出力ライン２６が、上昇することはない。また、スイッチ２０がオンされる直前に、平滑コンデンサー１８が、第２の出力ライン２６の電圧まで充電されていることによって、スイッチ２０がオンされたときの第２の出力ライン２６の電圧降下は、小さく押さえられる。そのため、出力ライン２６にＢＳチューナ２７やＵ／Ｖチューナ２８、およびマイコン回路５０リモコン受信回路２９の追加回路（副負荷）に電力が供給されている場合の電圧設定をわずかに高く設定しておけばよい。
上述のごとく本実施例に拠れば、第２の出力ラインから第１の出力ラインに制御が切り替わるときにも、出力ライン26の電圧に大きな電圧降下が発生することなく、副電源で動作していたＢＳチューナ２７、Ｕ／Ｖチューナ２８等の追加回路の動作に支障をきたすという課題も解決される。
本発明は、上述の実施例に限定されるものではなく、たとえば次のような変形が可能である。
▲１▼スイッチングレギュレータのトランス６の１次側回路及び電圧制御回路を    種々変形することができる。たとえば、トランジスタ８をFETにするこ    と４次巻線１１によって、自励発振させる替わりに、PWM（パルス幅変    調）回路を設けて他励方式でトランジスタ８をオン・オフ制御すること    が出来る。
▲２▼フォトトランジスタ１６の位置に制御トランジスタを配置し、このベース    をフォトトランジスタ１６で制御することが出来る。
【００１０】
【発明の効果】
以上のことからも明らかなように、本発明のテレビジョン受信機電源回路によれば、副電源すなわち、第2の整流平滑回路25の出力ライン26に接続されたＢＳチューナ２７、Ｕ／Ｖチューナ２８等の追加回路を動作させた状態で、主電源すなわち第1の整流平滑回路１９の出力ライン21に接続された追加回路よりも大きい負荷であるＴＶ回路２２に電力を供給しようとマイコン50からスイッチ２０および切替回路４０をオンした場合、図６に示すように出力ライン26の電圧に大きな電圧降下が発生し、設定した第２の出力ライン２６、副電源で動作していたＢＳチューナ２７、Ｕ／Ｖチューナ２８等の追加回路の動作に支障をきたすことなく、安定な電源電圧を供給することが可能となる。
【図面の簡単な説明】
【図１】本発明第１の実施の形態によるテレビジョン受信機の電源回路の構成ブロック図
【図２】本発明第１の実施の形態によるテレビジョン受信機の電源回路の信号と電圧のタイミングチャート
【図３】本発明第２の実施の形態によるテレビジョン受信機の電源回路の構成ブロック図
【図４】本発明第２の実施の形態によるテレビジョン受信機の電源回路の信号と電圧のタイミングチャート
【図５】従来のテレビジョン受信機の電源回路の構成ブロック図
【図６】従来のテレビジョン受信機の電源回路の信号と電圧のタイミングチャート
【符号の説明】
３  整流回路
６  トランス
８  トランジスタ
２０  スイッチ
１９  第１の整流平滑回路
２２  TV回路
３０  第１の出力電圧検出及び誤差増幅回路
３９  第２の出力電圧検出及び誤差増幅回路
５０  マイコン回路
【図１】
0004332935.tif 000002
【図２】
0004332935.tif 000003
【図３】
0004332935.tif 000004
【図４】
0004332935.tif 000005
【図５】
0004332935.tif 000006
【図６】
0004332935.tif 000007